(57)【要約】【課題】薄いドアにも対応でき、本締りの施錠状態でも内側から解錠できる面付け型グレモン錠を提供する。【解決手段】ドアＤの内面側に取り付けられる本体部１と、ドアＤの外面側に取り付けられる外側ユニット２と、本体部１に付設される内側ユニット３とから成り、本体部１は、ロッド４を上下に突出又は退入させる錠機構を有し、外側ユニット２及び内側ユニット３は、それぞれ外ハンドル２１及び内ハンドル３１を備えた面付け型グレモン錠において、外ハンドル２１と内ハンドル３１の回動軸部間にクラッチ機構５を設け、外側ユニット２の回動軸部のシリンダ錠２３により、外ハンドル２１を回動不能又は回動可能とすることができ、内ハンドル３１の回動軸部には、クラッチ機構５を操作する解除ボタン３３を設け、解除ボタン３３が押されると、クラッチ機構５の噛合が外れるようにする。【選択図】図１
2019019465.tif 000002
【特許請求の範囲】
【請求項１】
ドアの内面側に取り付けられる本体部(1)と、ドアの外面側に取り付けられる外側ユニット(2)と、前記本体部(1)に付設される内側ユニット(3)とから成り、
前記本体部(1)は、ロッド(4)を上下に突出又は退入させる錠機構を有し、前記外側ユニット(2)及び内側ユニット(3)は、それぞれ回動に伴いロッド(4)を昇降させて施錠又は解錠動作を行う外ハンドル(21)及び内ハンドル(31)を備え、
前記外ハンドル(21)と内ハンドル(31)の回動軸部間にクラッチ機構(5)が設けられ、
前記外ハンドル(21)の回動軸部には、シリンダ錠(23)が備えられ、前記シリンダ錠(23)により、前記ロッド(4)が突出した施錠状態で、前記外ハンドル(21)が回動不能な本締状態又は回動可能な仮締状態とすることができ、
前記内ハンドル(31)の回動軸部には、前記クラッチ機構(5)の噛合状態を切替操作する解除ボタン(33)が設けられ、
前記解除ボタン(33)が押されていない状態では、前記クラッチ機構(5)が噛み合って、前記外ハンドル(21)と内ハンドル(31)とが連動し、
前記解除ボタン(33)が押されると、前記クラッチ機構(5)の噛合が外れ、前記外ハンドル(21)と内ハンドル(31)の連結が解除されて、外ハンドル(21)が回動不能な本締状態であっても、内ハンドル(31)が回動可能となる面付け型グレモン錠。
【発明の詳細な説明】
【技術分野】
【０００１】
この発明は、シリンダ錠により施錠可能な面付け型グレモン錠に関するものである。
【背景技術】
【０００２】
従来より、機械室等のドアに設けられるグレモン錠として、図６に記載されたようなものが知られている。このグレモン錠は、ドアＤの内面側に取り付けられる本体部５１と、ドアＤの外面側に取り付けられる外側ユニット５２とから成り、本体部５１は、ロッド５３を上下に突出又は退入させて施錠状態と解錠状態とを切り替える錠機構を有する。
【０００３】
本体部５１のケース５１ａ及び外側ユニット５２のケース５２ａには、それぞれ回動に伴いロッド５３を昇降させて施錠又は解錠動作を行う内ハンドル５４及び外ハンドル５５が備えられ、内ハンドル５４と外ハンドル５５とは、ハンドル軸５６により共に回動するように連結されている。
【０００４】
また、このグレモン錠には、ロッド５３による錠機構に加えて、本締錠として使用できるように、外側ユニット５２のケース５２ａにシリンダ錠５７が設けられ、本体部５１のケース５１ａにドアＤの内面側から施錠又は解錠操作をするサムターン５８が設けられている。シリンダ錠５７とサムターン５８とは、サムターン軸５９を介して連動するように連結されている。
【０００５】
サムターン軸５９は、サムターン５８に対してスライド自在とされると共に、ばね５９ａによりシリンダ錠５７へ向かって付勢され、厚さ寸法が異なる様々なドアＤに対応できるようになっている（下記特許文献１参照）。
【先行技術文献】
【特許文献】
【０００６】
【特許文献１】特開２００２−１３３３０号公報
【発明の概要】
【発明が解決しようとする課題】
【０００７】
しかしながら、上記のようなグレモン錠では、シリンダ錠と連結されたサムターンを有するため、機構が複雑で、薄いドアには対応できないという問題がある。
【０００８】
このため、サムターンを省略し、シリンダ錠により外ハンドルを回動しないように固定して、本締りの施錠状態とするものが考えられている。
【０００９】
ところが、このような構造とすると、ドアの外側からシリンダ錠で外ハンドルを固定して本締りの施錠状態とした場合、ドアの内側から解錠できなくなり、室内にいる人が閉じ込められる恐れがある。
【００１０】
そこで、この発明は、薄いドアにも対応でき、本締りの施錠状態でも内側から解錠できる面付け型グレモン錠を提供することを課題とする。
【課題を解決するための手段】
【００１１】
上記課題を解決するため、この発明に係る面付け型グレモン錠は、ドアの内面側に取り付けられる本体部と、ドアの外面側に取り付けられる外側ユニットと、前記本体部に付設される内側ユニットとから成り、
前記本体部は、ロッドを上下に突出又は退入させる錠機構を有し、前記外側ユニット及び内側ユニットは、それぞれ回動に伴いロッドを昇降させて施錠又は解錠動作を行う外ハンドル及び内ハンドルを備え、
前記外ハンドルと内ハンドルの回動軸部間にクラッチ機構が設けられ、
前記外ハンドルの回動軸部には、シリンダ錠が備えられ、前記シリンダ錠により、前記ロッドが突出した施錠状態で、前記外ハンドルが回動不能な本締状態又は回動可能な仮締状態とすることができ、
前記内ハンドルの回動軸部には、前記クラッチ機構の噛合状態を切替操作する解除ボタンが設けられ、
前記解除ボタンが押されていない状態では、前記クラッチ機構が噛み合って、前記外ハンドルと内ハンドルとが連動し、
前記解除ボタンが押されると、前記クラッチ機構の噛合が外れ、前記外ハンドル)と内ハンドルの連結が解除されて、外ハンドルが回動不能な本締状態であっても、内ハンドルが回動可能となるものとしたのである。
【発明の効果】
【００１２】
この面付け型グレモン錠では、外側ユニットの外ハンドルの回動軸部に備えられたシリンダ錠により、外ハンドルを回動不能に固定して施錠された本締状態とし、本締状態で内側ユニットの解除ボタンを押すと、クラッチ機構の噛合が外れて、内ハンドルが回動可能となり、内側から解錠できるようにしているので、サムターンのない簡素な構成となり、薄いドアにも対応でき、室内にいる人が閉じ込められる恐れもない。
【図面の簡単な説明】
【００１３】
【図１】この発明の実施形態に係る面付け型グレモン錠の縦断側面図
【図２】同上のクラッチ機構の分解斜視図
【図３】同上のクラッチ機構の（３Ａ）施錠状態、（３Ｂ）解錠状態をそれぞれ示す部分縦断側面図
【図４】同上の面付け型グレモン錠の（４Ａ）ドアの外側正面図、（４Ｂ）ドアへの取付状態の側面図、（４Ｃ）ドアの内側正面図
【図５】同上の面付け型グレモン錠の本体部の（５Ａ）施錠状態，（Ｂ）解錠状態をそれぞれ示す機構図
【図６】特許文献１に記載の面付け型グレモン錠の縦断側面図
【発明を実施するための形態】
【００１４】
以下、この発明の実施形態を添付図面に基づいて説明する。
【００１５】
図１及び図４に示すように、この面付け型グレモン錠は、機械室等の出入口を開閉するドアＤの内面側に取り付けられる本体部１と、ドアＤの外面側に取り付けられる外側ユニット２と、本体部１に付設される内側ユニット３とから構成される。
【００１６】
図５に示すように、本体部１は、ケース１１の上部と下部に、それぞれロッド４が接合されるスライドボルト１２を備えている。
【００１７】
ロッド４は、ケース１１からの上下への突出により、出入口の上下枠に係合して施錠状態とし、退入に伴い出入口の上下枠との係合が解除されて、解錠状態とするものである。
【００１８】
スライドボルト１２は、ケース１１に内蔵されたハブ１３の回動に伴い上下方向へスライドし、このスライドに伴い、施錠状態（図５（５Ａ））と解錠状態（図５（５Ｂ））とを切り替えるものとされ、ケース１１とハブ１３に両端がそれぞれ連結されたトーションばね１４により、施錠方向へ付勢されている。
【００１９】
図４に示すように、外側ユニット２及び内側ユニット３には、それぞれ外ハンドル２１（図４（４Ａ）参照）及び内ハンドル３１（図４（４Ｃ）参照）がドアＤに固定される台座２２，３２に対して回動自在に備えられ、外ハンドル２１及び内ハンドル３１の回動に伴い、ロッド４が昇降して施錠又は解錠動作が行われる。
【００２０】
外ハンドル２１の回動軸部には、汎用品であるシリンダ錠２３が嵌め込まれ、鍵操作しない通常時にシリンダ錠２３を覆う開閉式のキャップ２４が設けられている。
【００２１】
そして、図１に示すように、外ハンドル２１と内ハンドル３１の回動軸部間には、クラッチ機構５が設けられ、内ハンドル３１の回動軸部には、クラッチ機構５の噛合状態を切替操作する解除ボタン３３が設けられている。
【００２２】
クラッチ機構５は、図２に示すように、上述のハブ１３と、ハブ１３のドア外側に嵌められるブッシュ６と、ハブ１３の端壁とブッシュ６の間に配置されるクラッチ７と、クラッチ７をハブ１３の端壁の方向に付勢するコイルばね８とから構成されている。
【００２３】
ブッシュ６のハブ１３の内部に挿入される部分とハブ１３の端壁内面には、それぞれクラッチ７が嵌まり込む凹部６ａ，１３ａがそれぞれ形成され、クラッチ７は、連通した凹部６ａ，１３ａの深さ方向に移動可能とされている。
【００２４】
ブッシュ６は、ハブ１３の内部に挿入される部分の外周が円筒状とされ、クラッチ７の両端部は、ブッシュ６の凹部６ａに嵌まり込んだ状態で、ブッシュ６のハブ１３に対する回転を妨げないように、円筒の一部を構成する曲面とされている。
【００２５】
また、図１に示すように、ブッシュ６とハブ１３の端壁は、その回転軸を中心線とする角軸穴６ｂ，１３ｂがそれぞれ形成されている。
【００２６】
ハブ１３の端壁の角軸穴１３ｂには、内ハンドル３１の角軸部が挿入され、内ハンドル３１とハブ１３とは常時一体に回転するものとされている。
【００２７】
ブッシュ６の角軸穴６ｂには、外側ユニット２の台座２２に回転自在に保持された角芯２５が挿入され、シリンダ錠２３と角芯２５の保持部の間には、ジョイント２６及びロックプレート２７が介在する。
【００２８】
これにより、シリンダ錠２３の鍵操作に伴い、ロックプレート２７の台座２２に対する係合又は非係合を切り替えて、ロッド４が突出した施錠状態で、外ハンドル２１が回動不能な本締状態、又は回動可能な仮締状態とすることができるようになっている。
【００２９】
上記のような構成において、図１及び図３（３Ａ）に示すように、解除ボタン３３が押されていない状態では、クラッチ７が凹部６ａ，１３ａに跨って嵌まり込み、ブッシュ６とハブ１３が連動する状態、すなわち、クラッチ機構５が噛み合い、外ハンドル２１と内ハンドル３１とが連動した状態となる。
【００３０】
このため、シリンダ錠２３の鍵操作により、外ハンドル２１が回動不能な本締状態にされた場合、内ハンドル３１も回動不能となり、そのままでは、ドアＤの内側の機械室等に入っている作業員は、内ハンドル３１を回して室外に出ることができない。
【００３１】
しかしながら、解除ボタン３３を押すと、図３（３Ｂ）に示すように、クラッチ７が凹部１３ａから抜け出して、凹部６ａに完全に収納され、ブッシュ６とハブ１３の連動が切れた状態となり、クラッチ機構５の噛合が外れるので、外ハンドル２１と内ハンドル３１の連結が解除され、内ハンドル３１が回動可能となる。
【００３２】
上記のような面付け型グレモン錠では、シリンダ錠と連結されたサムターンがなく、図１に示すように、機械室の出入口に設けられる薄い金属板製のドアＤのように、薄いドアＤにも対応でき、角芯２５の長さを変更することにより、様々な厚さのドアＤに対応できる。例えば、ドアＤの厚さの対応範囲は、２ｍｍ〜４０ｍｍとされている。
【００３３】
また、ドアＤの外側でシリンダ錠２３が鍵操作されて、外ハンドル２１が回動不能な本締状態とされていても、解除ボタン３３を押すと、作業員は内ハンドル３１を回して室外に出ることができ、室内に閉じ込められる恐れがない。
【００３４】
なお、作業員が室内に入った状態で、自らシリンダ錠２３により本締状態とし、他者が室外から室内に入れないようにすることもできる。
【００３５】
その手順としては、まず、シリンダ錠２３が解錠された状態で、外ハンドル２１を回して室内に入り、ドアＤが開いた状態で外ハンドル２１を戻して、鍵でシリンダ錠２３を施錠状態とする。次に、解除ボタン３３を押し、クラッチ機構５の噛合を外した状態で、内ハンドル３１を回して、ロッド４を退入させる。その後、ドアＤを閉じ、内ハンドル３１を戻して、ロッド４を突出させ、解除ボタン３３を離すと、本締状態となる。
【００３６】
このように、上記のような面付け型グレモン錠は、サムターンのない簡素な構成でありながら、ドアＤの外側及び内側からの本締錠としての機能を有すると共に、室内にいる人が閉じ込められることを防止することができる。
【符号の説明】
【００３７】
Ｄ  ドア
１  本体部
２  外側ユニット
３  内側ユニット
４  ロッド
５  クラッチ機構
６  ブッシュ
６ａ  凹部
６ｂ  角軸穴
７  クラッチ
８  コイルばね
１１  ケース
１２  スライドボルト
１３  ハブ
１３ａ  凹部
１３ｂ  角軸穴
１４  トーションばね
２１  外ハンドル
２２  台座
２３  シリンダ錠
２４  キャップ
２５  角芯
２６  ジョイント
２７  ロックプレート
３１  内ハンドル
３２  台座
３３  解除ボタン
【図１】
2019019465.tif 000003
【図２】
2019019465.tif 000004
【図３】
2019019465.tif 000005
【図４】
2019019465.tif 000006
【図５】
2019019465.tif 000007
【図６】
2019019465.tif 000008